(57)【要約】      （修正有）【課題】使用者が容易に、座椅子の背部角度を調整することができる座椅子の両側コントロール機構を提供する。【解決手段】当該コントロール機構は座椅子１０の受け台座１５に設けられ、主に、第一コントロールロッド２１、延伸ロッド２２及び第二コントロールロッド２３からなる。第一コントロールロッド２１の一端の駆動部２１１は受け台座１５に取り付けられる。また、その駆動部２１１のアウターエッジに、第一継ぎ手が設置され、さらに、延伸ロッド２２を連結する。延伸ロッド２２が第一コントロールロッド２１に対応する一端には、第一継ぎ手と結合する第一はめ込み部が形成される。他端には、第二コントロールロッド２３が設けられる。この構造により、使用者が第二コントロールロッド２３を動かすと、同期に、第一コントロールロッド２１の駆動部２１１を動かす事ができるようになる。その結果、エアシリンダー３０を起動させ、座椅子１０の角度調整を制御することができる。【選択図】図１
0003196471.tif 000002
【実用新案登録請求の範囲】
【請求項１】
座椅子の両側コントロール機構は座椅子を含み、当該座椅子は座椅子のシートと座椅子の背部を有し、座椅子のシートに、受け台座を設けることにより、コントロール機構を取り付け、さらに、このコントロール機構を用いて、エアシリンダーを合わせて、座椅子の背部角度が調整でき、コントロール機構は主に、第一コントロールロッド、延伸ロッド及び第二コントロールロッドにより構成され、第一コントロールロッドの一端の駆動部は受け台座に取り付けられ、また、その駆動部のアウターエッジに、第一継ぎ手が設置され、さらに、延伸ロッドを連結し、延伸ロッドの第一コントロールロッドに対応する一端には、第一継ぎ手と結合する第一はめ込み部が形成され、他端には、第二コントロールロッドが設けられ、この構造により、使用者が第二コントロールロッドを動かすと、同期して第一コントロールロッドの駆動部を動かす事ができるようになり、その結果、エアシリンダーを起動させ、座椅子の角度調整を制御することができ、座椅子の両側に、座椅子の背部調整用のメカニズムを兼ね備えることで、利便性を向上させることを特徴とする座椅子の両側コントロール機構。
【請求項２】
前記第一コントロールロッドの第一継ぎ手には、非円形状のロッドが形成され、また、延伸ロッドの第一嵌め込み部には、非円形状の穴も形成され、第一継ぎ手と第一嵌め込み部を組み立てる場合に、第一固定ユニットで固定することを特徴とする請求項１に記載の座椅子の両側コントロール機構。
【請求項３】
前記第一固定ユニットはリベットを用いることが可能であり、第一継ぎ手と第一はめ込み部との対応するアウターエッジには、それぞれ、第一貫通穴が貫通され、第一固定ユニットを同時に、二つの第一貫通穴に挿入すると、第一継ぎ手と第一はめ込み部が固定されることを特徴とする請求項２に記載の座椅子の両側コントロール機構。
【請求項４】
前記延伸ロッドと第二コントロールロッドが一体化成型可能であることを特徴とする請求項１に記載の座椅子の両側コントロール機構。
【請求項５】
前記延伸ロッドと第二コントロールロッドは組み立て可能な構造であり、第二コントロールロッドのアウターエッジには、第二継ぎ手が設けられ、延伸ロッドの対応のアウターエッジには、第二嵌め込み部も形成され、第二コントロールロッド及び延伸ロッドは第二継ぎ手と第二嵌め込み部が結合されてから、第二固定ユニットにより固定されることを特徴とする請求項１に記載の座椅子の両側コントロール機構。
【請求項６】
前記第二固定ユニットはリベットを用いることが可能であり、第二継ぎ手と第二はめ込み部との対応するアウターエッジには、それぞれ、第二貫通穴が貫通され、第二固定ユニットを同時に、二つの第二貫通穴に挿入すると、第二継ぎ手と第二はめ込み部が固定されることを特徴とする請求項５に記載の座椅子の両側コントロール機構。
【請求項７】
前記座椅子が第二コントロールロッドに対応する一側の内側には、位置制限部が設けられ、位置制限部を経由して、延伸ロッドが通過することにより、延伸ロッドの位置が制限されることを特徴とする請求項１に記載の座椅子の両側コントロール機構。
【請求項８】
前記第一コントロールロッドの第一継ぎ手には、円形のロッド形状が形成され、延伸ロッドの第一嵌め込み部には、対応形状の円形穴も形成され、第一継ぎ手と第一嵌め込み部を組み立てる場合に、スポット溶接により固定することも可能であることを特徴とする請求項１に記載の座椅子の両側コントロール機構。
【請求項９】
前記前記延伸ロッドと第二コントロールロッドを組み立てた構造を用いることが可能であり、第二コントロールロッドのアウターエッジには、第二継ぎ手が設けられ、延伸ロッドの対応のアウターエッジには、第二嵌め込み部も形成され、第二コントロールロッド及び延伸ロッドは第二継ぎ手と第二嵌め込み部が結合されてから、スポット溶接により固定されることを特徴とする請求項１に記載の座椅子の両側コントロール機構。
【考案の詳細な説明】
【技術分野】
【０００１】
本考案は座椅子のコントロール機構に関し、特に、座椅子の背部角度を制御するためのコントロール機構の改良に関するものである。
【背景技術】
【０００２】
従来、一般的な和式座椅子は少なくとも、座椅子のシート、座椅子の背部からなる。また、座椅子の背部は角度が調整できる。図７を参照されたい。従来の和式座椅子では、座椅子のシート（９１）と座椅子の背部（９２）との間に、ステップレス位置決めのエアシリンダー（９３）が設けられる。エアシリンダー（９３）は座椅子のシート（９１）に設置される一本のコントロールロッド（９４）の操作により、エアシリンダー（９３）の中におけるピストンを伸縮させ、座椅子の背部（９２）を動かして、角度を調整することができる。
【考案の概要】
【考案が解決しようとする課題】
【０００３】
しかしながら、一般にコントロールロッド（９４）は座椅子のシート（９１）の右側のみに設けられるので、使用者は右手でしか操作できない。したがって、使用者の右手が怪我している場合、老齢で右手が力を出せない場合又は右手不自由の障害者である場合、右手でコントロールロッド（９４）を操作することができず、とても不便であるため、改善が必要である。
【０００４】
本案の主な目的は座椅子の両側コントロール機構を提供することにある。本案の座椅子では、座椅子の背部角度を調整するためのコントロール機構を左右両側から、制御が可能なように設計することにより、使用者が容易に、座椅子の背部角度を調整することができる。
【課題を解決するための手段】
【０００５】
上述した課題を解決し、目的を達成するために、本案の「座椅子の両側コントロール機構」の組み立ては座椅子を含む。座椅子は座椅子のシート及び座椅子の背部から構成される。座椅子のシートには、設けられる受け台座により、コントロール機構を取り付ける。さらに、このコントロール機構で、エアシリンダーを合わせて、座椅子の背部角度を調整することができる。当該コントロール機構は座椅子の受け台座に設けられ、主に、第一コントロールロッド、延伸ロッド及び第二コントロールロッドにより構成される。第一コントロールロッドの一端の駆動部は受け台座に枢接される。また、その枢接部のアウターエッジに、第一継ぎ手が設置され、さらに延伸ロッドを連結する。延伸ロッドが第一コントロールロッドに対応する一端には、第一継ぎ手と結合する第一はめ込み部が形成される。第一コントロールロッドの第一継ぎ手と延伸ロッドの第一はめ込み部を組み立てる場合に、スポット溶接により固定し、又は、第一固定ユニットを二つの部品に貫通することにより固定する。また、延伸ロッドの他端には、第二コントロールロッドが設けられる。延伸ロッドと第二コントロールロッドは一体化の構造又は組み立ての構造である。
【考案の効果】
【０００６】
この構造により、使用者が第二コントロールロッドを動かすと、同期に、第一コントロールロッドの駆動部を回す事ができるようになる。その結果、エアシリンダーを起動させ、座椅子の角度調整を制御することができる。座椅子の両側に、座椅子の背部調整用のメカニズムを兼ね備えることで、利便性を向上させることとなる。
【図面の簡単な説明】
【０００７】
【図１】本考案の第一実施例の立体組立図である。
【図２】本考案の第一実施例の立体分解図である。
【図３】本考案の第二実施例の立体組立図である。
【図４】本考案の第二実施例の立体分解図である。
【図５】本考案の第三実施例の立体組立図である。
【図６】本考案の第三実施例の立体分解図である。
【図７】先行技術における立体図である。
【考案を実施するための形態】
【０００８】
図１−図６を参照されたい。本考案の「座椅子の両側コントロール機構」の組み立ては座椅子（１０）及び座椅子（１０）に装着するコントロール機構（２０）により構成される。
【０００９】
座椅子（１０）は座椅子のシート（１１）、座椅子の背部（１２）及びエアシリンダー（３０）など部品からなる。座椅子のシート（１１）の片側における二本の支持ロッドの間に、固定台座（１３）が固着される。固定台座（１３）には、受け台座（１５）が枢組される。受け台座（１５）の向かい合う両側には、軸穴（１５１）が形成される。他端には、締め付け穴（１５３）が形成される。締め付け穴（１５３）を通過し、エアシリンダー（３０）の一端のロッド締め付け部（３１）を取り付ける。エアシリンダー（３０）の他端は座椅子の背部（１２）の下方に取り付けられる。エアシリンダー（３０）のロッド締め付け部（３１）の一端面から、起動キーが凸設される。（図面に示せず）。コントロール機構（２０）により、起動キーを押すと、エアシリンダー（３０）の伸縮作動を制御することが可能である。
【００１０】
コントロール機構（２０）は第一コントロールロッド（２１）、延伸ロッド（２２）及び第二コントロールロッド（２３）により構成される。
【００１１】
第一コントロールロッド（２１）はほぼL字形を呈する。その一端は受け台座（１５）の軸穴（１５１）の所に組み立てられる。同端のアウターエッジには、扁平状の駆動部（２１１）が形成される。駆動部（２１１）はエアシリンダー（３０）の起動キーのアウターエッジに当接する。また、駆動部（２１１）のアウターエッジには、第一継ぎ手（２１２）が凸設され、さらに延伸ロッド（２２）を連結する。
【００１２】
延伸ロッド（２２）は長くて直線状のロッドであり、第一コントロールロッド（２１）に対応する一端には、第一継ぎ手（２１２）と結合する第一はめ込み部（２２１）が形成される。他端には、第二コントロールロッド（２３）が設けられる。延伸ロッド（２２）と第二コントロールロッド（２３）は一体化の構造又は組み立て構造を用いることが可能である。
【００１３】
延伸ロッド（２２）の第一継ぎ手（２１２）と第一コントロールロッド（２１）の第一継ぎ手（２１２）を組み立てる場合に、スポット溶接により固定し、又は、第一固定ユニット（４１）により固定する。第一固定ユニット（４１）により固定する場合に、第一固定ユニット（４１）としてはリベットが使える。この場合に、第一コントロールロッド（２１）の第一継ぎ手（２１２）には、非円形状のロッドが形成される。延伸ロッド（２２）の第一嵌め込み部（２２１）には、非円形状の穴も形成される。また、第一継ぎ手（２１２）と第一はめ込み部（２２１）との対応するアウターエッジには、それぞれ、第一貫通穴（２１３，２２２）が貫通される。第一固定ユニット（４１）を同時に、二つの第一貫通穴（２１３，２２２）に挿入すると、第一継ぎ手（２１２）と第一はめ込み部（２２１）が固定される。
【００１４】
図３−図４を参照されたい。延伸ロッド（２２）と第二コントロールロッド（２３）を組み立てた構造である場合に、第二コントロールロッド（２３）のアウターエッジに、第二継ぎ手（２３１）が凸設される。延伸ロッド（２２）に対応するアウターエッジに、第二嵌め込み部（２２３）が形成される。また、第二継ぎ手（２３１）と第二はめ込み部（２２３）との対応するアウターエッジには、それぞれ、第二貫通穴（２３２，２２４）が貫通される。第二継ぎ手（２３１）と第二はめ込み部（２２３）をはめ込んだあとで、第二固定ユニット（４２）を二つの第二貫通穴（２３２，２２４）に挿入することにより固定させる。使用者が第二コントロールロッド（２３）を動かすと、延伸ロッド（２２）を経由して、同期に、第一コントロールロッド（２１）の駆動部（２１１）を回す事ができるようになる。その他、第二コントロールロッド（２３）が延伸ロッド（２２）を経由して、駆動部（２１１）を回すことの安定性を確保するために、座椅子（１１）が第二コントロールロッド（２３）に対応する一側の内側位置には、位置制限部（１１１）が設けられる。位置制限部（１１１）を経由して、延伸ロッド（２２）が通過することにより、延伸ロッド（２２）の位置が制限される。
【００１５】
また、図５、図６を参照されたい。この実施例では、第一コントロールロッド（２１）の第一継ぎ手（２１２）には、円形のロッド形状が形成される。延伸ロッド（２２）の第一嵌め込み部（２２１）には、対応形状の円穴も形成される。第一継ぎ手（２１２）と第一嵌め込み部（２２１）を組み立てる場合に、接続のアウターエッジの位置に、若干のスポット溶接（４３）が形成されることにより固定する。また、延伸ロッド（２２）と第二コントロールロッド（２３）は組み立てた構造である。第二コントロールロッド（２３）のアウターエッジには、円形の第二継ぎ手（２３１）が形成される。延伸ロッド（２２）の対応のアウターエッジには、円穴状の第二継ぎ手（２２３）も形成される。第二コントロールロッド（２３）及び延伸ロッド（２２）は第二継ぎ手（２３１）と第二嵌め込み部（２２３）が組み立てられたあとで、溶接方式を用いて、第二継ぎ手（２３１）と第二嵌め込み部（２２３）との接続アウターエッジに形成される若干のスポット溶接（４３）により固定される。
【００１６】
したがって、第二コントロールロッド（２３）と第一コントロールロッド（２１）の駆動部（２１１）との連動構造を設計することにより、座椅子に座っている使用者が左手でも座椅子の背部（１２）の角度調整を制御することができ、利便性を向上させる。
【符号の説明】
【００１７】
座椅子（１０） 座椅子のシート（１１）
位置制限部（１１１） 座椅子の背部（１２）
固定台座（１３） 受け台座（１５）
軸穴（１５１） 締め付け穴（１５３）
エアシリンダー（３０） ロッド締め付け部（３１）
コントロール機構（２０）  第一コントロールロッド（２１）
駆動部（２１１） 第一継ぎ手（２１２）
第一貫通穴（２１３） 延伸ロッド（２２）
第一嵌め込み部（２２１） 第一貫通穴（２２２）
第二嵌め込み部（２２３） 第二貫通穴（２２４）
第二コントロールロッド（２３） 第二継ぎ手（２３１）
第二貫通穴（２３２） エアシリンダー（３０）
ロッド締め付け部（３１） 第一固定ユニット（４１） 
第二固定ユニット（４２） スポット溶接（４３） 
【図１】
0003196471.tif 000003
【図２】
0003196471.tif 000004
【図３】
0003196471.tif 000005
【図４】
0003196471.tif 000006
【図５】
0003196471.tif 000007
【図６】
0003196471.tif 000008
【図７】
0003196471.tif 000009